(57)【要約】  【課題】  流量計の検針時の作業時間を短縮して作業性を向上する。  【解決手段】  水道メータ１の検針間隔毎に計量部３にて計測した該計測値を水道メータ１の指示部４のＩＣタグ９に記憶する。そして、該ＩＣタグ９に入力された該計測値をハンディターミナル１１に入力できるように構成した。【選択図】図１
2006118947.tif 000002
【特許請求の範囲】
【請求項１】
水等の流量を流量計本体の計量部にて計測すると共に、該計測値を指示部にて電気的信号に変換して表示部にて表示し、且つ、ハンディターミナルを操作することにより前記計測値をＩＣタグを介して無線にて該ハンディターミナルに送信できるように構成した流量計に於いて、検針間隔毎に前記計量部にて流量の計測を行い、且つ、該計測値を前記指示部を介して前記ＩＣタグに送信して該ＩＣタグにて該計測値を記憶すると共に、該ＩＣタグに入力された計測値をハンディターミナルに入力できるように構成したことを特徴とする流量計。
【請求項２】
水等の流量を流量計本体の計量部にて計測すると共に、該計測値を指示部にて電気的信号に変換して表示部にて表示し、且つ、ハンディターミナルを操作することにより前記計測値をＩＣタグを介して無線にて該ハンディターミナルに送信できるように構成した流量計に於いて、前記計量部にて流量の計測を行い、且つ、該計測値を前記指示部を介して前記ＩＣタグに送信して該ＩＣタグにて該計測値を記憶すると共に、該ＩＣタグに該計測値を送信して記憶する間隔を、該流量計の検針期間より短縮したことを特徴とする流量計。
【請求項３】
上記計測部にて計測された計測値を前記指示部の通信回路より無線にてＩＣタグに送信できるように構成したことを特徴とする請求項１又は２記載の流量計。
【請求項４】
上記ハンディターミナルより電波を照射することにより前記ＩＣタグが作動すると共に、スイッチにより流量計本体に設けた電池と該ＩＣタグとが接続され、該ハンディターミナルにより該ＩＣタグが作動した後、該電池により該ＩＣタグに電力が供給されて該ＩＣタグが作動するように形成し、更に、該ＩＣタグのデータの送受信が終了したときには、前記スイッチにより該電池とＩＣタグとの接続が解除するように構成したことを特徴とする請求項１又は２記載の流量計。
【発明の詳細な説明】
【技術分野】
【０００１】
この発明は、流量計に関するものであり、特に、ＩＣタグを利用した流量計に関するものである。
【背景技術】
【０００２】
従来此種流量計は、流量を計測する計測部に該計測値を表示する表示部が設けられている。又、該計測部はインターフェイス部を介してＩＣタグに該計測値を送信できるように構成されると共に、該計測値は記憶部に記憶されるように形成されている。
【０００３】
而して、データのリードライトが可能なハンディターミナルの電波を該ＩＣタグに照射することにより、該ＩＣタグに電力が誘導されて該ＩＣタグが作動する。そして、該ＩＣタグの作動により、該ＩＣタグから該計測部に要求信号が発信され、更に、計測部にて計測された計測値がインターフェイスを介して該ＩＣタグに発信されて該ＩＣタグが計測値を受信すると共に、該計測値は該ＩＣタグに記憶される。又、今回の計測値は該ハンディターミナルに送信され、且つ、前回の計測値を該ＩＣタグから読み込むことにより、前回のデータと今回のデータを演算して検針時に月毎の使用量を算出することができる。
（特許文献１参照）
【特許文献１】特開２００１−１８４５８５号公報
【発明の開示】
【発明が解決しようとする課題】
【０００４】
上述した従来の流量計は、ハンディターミナルを操作してＩＣタグを作動させることにより、該流量計の計測部にて計測した計測値を該ＩＣタグに読み込み、そして、該ＩＣタグから該計測値が該ハンディターミナルに送信されて検針が行われていた。
【０００５】
しかし、検針の都度、計測部のデータをＩＣタグを介してハンディターミナルに読み込んでいるので、多大なデータの通信時間を要していた。そこで、流量を計測する検針時のデータの通信時間を短縮して検針作業の軽減を図るために解決するべき技術的課題が生じてくるのであり、本発明はこの課題を解決することを目的とする。
【課題を解決するための手段】
【０００６】
本発明は上記の課題を解決するために提案されたものであり、請求項１記載の発明は、水等の流量を流量計本体の計量部にて計測すると共に、該計測値を指示部にて電気的信号に変換して表示部にて表示し、且つ、ハンディターミナルを操作することにより前記計測値をＩＣタグを介して無線にて該ハンディターミナルに送信できるように構成した流量計に於いて、検針間隔毎に前記計量部にて流量の計測を行い、且つ、該計測値を前記指示部を介して前記ＩＣタグに送信して該ＩＣタグにて該計測値を記憶すると共に、該ＩＣタグに入力された計測値をハンディターミナルに入力できるように構成した流量計を提供する。
【０００７】
この構成によれば、予め計測部より検針間隔毎に流量計の計測データが送信されて該計測値がＩＣタグに記憶されるので、検針時に於いては、ハンディターミナルを操作して該ＩＣタグより該計測値をハンディターミナルに読み込むことにより計測データを得ることができる。従って、従来のように検針時の都度ＩＣタグを介して計測部より流量の計測データを読み込む必要はない。
【０００８】
請求項２記載の発明は、水等の流量を流量計本体の計量部にて計測すると共に、該計測
値を指示部にて電気的信号に変換して表示部にて表示し、且つ、ハンディターミナルを操作することにより前記計測値をＩＣタグを介して無線にて該ハンディターミナルに送信できるように構成した流量計に於いて、前記計量部にて流量の計測を行い、且つ、該計測値を前記指示部を介して前記ＩＣタグに送信して該ＩＣタグにて該計測値を記憶すると共に、該ＩＣタグに該計測値を送信して記憶する間隔を、該流量計の検針期間より短縮した流量計を提供する。
【０００９】
この構成によれば、流量計に異常が発生してＩＣタグに測定値が記憶できない状態に陥ったとしても、例えば毎日流量の計測値を該ＩＣタグが受信記憶しているので、前日の計測値の読み込みは可能となる。
【００１０】
請求項３記載の発明は、上記計測部にて計測された計測値を前記指示部の通信回路より無線にてＩＣタグに送信できるように構成した流量計を提供する。この構成によれば、ＩＣタグを指示部より離間して設置することもできる。
【００１１】
請求項４記載の発明は、上記ハンディターミナルより電波を照射することにより前記ＩＣタグが作動すると共に、スイッチにより流量計本体に設けた電池と該ＩＣタグとが接続され、該ハンディターミナルにより該ＩＣタグが作動した後、該電池により該ＩＣタグに電力が供給されて該ＩＣタグが作動するように形成し、更に、該ＩＣタグのデータの送受信が終了したときには、前記スイッチにより該電池とＩＣタグとの接続が解除するように構成した流量計を提供する。
【００１２】
この構成によれば、ハンディターミナルよりＩＣタグを始動した後、該ＩＣタグに電池にて電力を供給することができるので、安定したＩＣタグの稼動を可能にすると共に該ＩＣタグより大量のデータを確実にハンディターミナルに送信することができる。
【発明の効果】
【００１３】
請求項１記載の発明は、流量計の計測値を検針間隔毎に予め該流量計のＩＣタグに記憶し、流量計の検針時に於いては、ハンディターミナルにてＩＣタグを作動させると共に、該ＩＣタグに記憶されている計測値を該ハンディターミナルに読み込むことにより、検針を成すことができる。従って、従来検針時毎に流量計の計測部を作動して計測部にて計測していたデータをＩＣタグを介してハンディターミナルに読み込んでいた流量計に比して、著しく検針時間を短縮して作業効率が向上する。
【００１４】
請求項２記載の発明は、計測部にて流量を計測して前記ＩＣタグに該計測値を記憶させる間隔を検針期間より短縮している。従って、流量計に異常が発生して流量の計測ができなくなった場合に於いても、直前の計測データがＩＣタグに記憶されているので直前の計測データを確保することができる。即ち、例えば毎日流量計の計測データをＩＣタグに記憶させることにより流量計に異常が生じた場合には、前日の計測データが該ＩＣタグに保存されているので、当日の流量のみを該計測値に積算することにより該流量計の検針の計測値を確保することができる。
【００１５】
請求項３記載の発明は、流量計の計測部にて計測されたデータを該流量計の指示部の通信回路より無線にてＩＣタグに送信できるように構成されているので、請求項１又は２記載の発明の効果に加え、前記指示部より離間して該ＩＣタグを装着することができ、依って、検針時にハンディターミナルを使用してＩＣタグよりデータを読み込む際には、該ＩＣタグを該ハンディターミナルに容易に対峙することができる位置に設置して検針作業を簡素化することができる。更に、流量計より分離してＩＣタグが装着されているので、該流量計が故障した際に於いても、ＩＣタグは影響を受けることはない。従って、該ＩＣタグにデータが保存されているので前記計測データの安全性を向上する。
【００１６】
請求項４記載の発明は、流量計のＩＣタグがハンディターミナルにて作動した後、該ＩＣタグがスイッチにより電池に接続されるように構成されているので、請求項１又は２記載の発明の効果に加え、該電池からの電力の供給により安定したＩＣタグの稼動が可能となり、該ＩＣタグの確実なるデータの送受信が可能となる。
【発明を実施するための最良の形態】
【００１７】
本発明は、流量計の計測部より計測されたデータを指示部のＩＣタグに予め記憶させる。そして、検針時に流量計のＩＣタグのみをハンディターミナルにて操作して該ＩＣタグよりデータを読み込むことにより該流量計の検針を成すように構成して流量を計測する検針時のデータの通信時間を短縮できる目的を実現した。
【実施例】
【００１８】
以下、本発明の一実施例を図１乃至図３に従って説明する。図１は本発明の一実施例である水道メータ１を示し、該水道メータ１は外部ケース２の下部に流量を計測する計量部３が設けられている。更に、外部ケース２の上部には指示部４が設けられており、該指示部４には該計量部３の計測値を電気信号に変換する検出部５が設けられている。
【００１９】
又、該指示部４には電気信号に変換された計測値を演算し、且つ、該指示部４を制御する制御部６及び該計測値を表示する表示部７が設けられて、データを通信回路８を介してＩＣタグ９へ送受信できるように構成されている。尚、図中符号１０は電池であり、該電池１０は該指示部４に電力を供給している。
【００２０】
一方、前記水道メータ１の計測値を読み取るハンディターミナル１１は、該ＩＣタグ９との間に於いて無線によりデータの送受信を行う通信部１２と、前記計測値等を表示する表示部１３と、該計測値等を印刷する印刷部１４と、該計測値等を記憶する記憶部１５とから成り、更に、該ハンディターミナル１１には該ハンディターミナル１１に電力を供給する電池１６が装着されている。
【００２１】
又、前記水道メータ１は、該水道メータ１の検針期間、即ち、例えば１ケ月毎に計量部３にて計量された計測値を前記制御部６により前記通信回路８を介して予め前記ＩＣタグ９へ送信し、且つ、該ＩＣタグ９に自動的に記憶するように構成している。
【００２２】
而して、該水道メータ１の検針を行う際には、先ず、前記ハンディターミナル１１より所定の電波を該水道メータ１へ照射する。このとき、前記ＩＣタグ９の共振回路が共振して電力が発生するので該ＩＣタグ９が作動する。そして、該ＩＣタグ９に記憶されている前記計測値及びその他データが該ハンディターミナル１１に送信され、これらデータが該ハンディターミナル１１に入力されて該水道メータ１の検針が行われる。その後、該ハンディターミナル１１の印刷部１４にて所定の検針データが印刷されて検針が終了する。
【００２３】
このとき、該水道メータ１の指示部４にてＩＣタグ９へ流量の計測データが予め記憶されているので、該ＩＣタグ９と該ハンディターミナル１１との間の通信にて該ハンディターミナル１１に該計測データを入力することができる。斯くして、通信時間を短縮して検針作業を簡素化することができる。
【００２４】
一方、該水道メータ１の計測データを検針期間より短縮してＩＣタグ９に記憶するように前記制御部６にて制御すれば、たとえ、該水道メータ１に異常をきたしたとしても、直前の計測データが該ＩＣタグ９に保存されているので、該計測データを確保することができる。即ち、例えば、毎日該ＩＣタグ９に計測データを記憶させることにより、該水道メータ１に異常をきたして該データがＩＣタグ９へ送信されなくなった場合に於いても、前
日の計測データが該ＩＣタグ９に記憶されているので、該計測データに当日の流量を積算することにより容易に検針データを算出して確保することができる。
【００２５】
図２は請求項３の実施例を示し、水道メータ２０には前述と同様に外部ケース２１に計量部２２及び指示部２３が設けられている。又、該指示部２３には該計量部２２の計測値を電気信号に変換する検出部２４が設けられ、更に、電気信号に変換された計測値を演算し、且つ、該指示部２３を制御する制御部２５、及び該計測値を表示する表示部２６が設けられ、そして、データを通信回路２７を介してＩＣタグ２８へ送受信できるように構成されている。又、図中符号２９は電池であり、該電池１０は該指示部４に電力を供給している。尚、符号３０は該水道メータ２０の蓋体である。
【００２６】
更に、この実施例の指示部２３は通信回路２７とＩＣタグ２８とを無線にて通信できるように構成している。従って、該ＩＣタグ２８を該水道メータ１本体より離間して蓋体３０に装着することができるので、該蓋体３０を開放することなくハンディターミナルを容易に該蓋体３０に対峙してデータの読み込み作業を実行できる。
【００２７】
更に、該ＩＣタグ２８は水道メータ２０本体とは分離して装着されているので、該水道メータ２０本体が故障した場合に於いても、該ＩＣタグ２８は故障することはない。従って、ＩＣタグ２８は直前の計測データを記憶しているので、データ保存の安全性を確保することができる。
【００２８】
図３は請求項４の実施例を示し、水道メータ４０の指示部４１には前述と同様に計量値を電気信号に変換する検出部４２と、該電気信号を演算し、且つ、該指示部４１を制御する制御部４３と、該計測データを表示する表示部４４とが装着され、更に、種々のデータを通信回路４５を介して該制御部４３とＩＣタグ４６との間にて送受信できるように構成されている。
【００２９】
又、該指示部４１に電力を供給する電池４７と前記ＩＣタグ４６とは、スイッチ４８の開閉動作にて開成及び閉成可能に構成されている。そして、ハンディターミナルより所定の電波を照射して該ＩＣタグ４６と交信する際には該スイッチ４８がＯＮとなり、該電池４７より該ＩＣタグ４６に電力が供給される。更に、ハンディターミナルと該ＩＣタグ４６とのデータの送受信が終了したときには、該スイッチ４８がＯＦＦとなり該ＩＣタグ４６への電力の供給が停止される。
【００３０】
斯くの如く構成された水道メータ４０は、ハンディターミナルとＩＣタグ４６とのデータの通信時には、従来ハンディターミナルの電波の照射によりＩＣタグに発生する不安定な電力に比して、著しく安定した電力を該ＩＣタグ４６に供給することができるので確実なデータの通信が可能となる。
【００３１】
従って、大量なデータの交信に於いても安定したデータ通信が可能となり、依って、水道メータ４０の検針作業の効率が向上すると共に、種々のデータを該ＩＣタグ４６に記憶させて様々な機能を付加することができる。
【００３２】
例えば、該ＩＣタグ４６に水道メータ４０のシリアル番号や前回計測値と今回の計測値、計測日及び故障履歴などを該ＩＣタグ４６に記憶させた場合には、該シリアル番号により水道メータ４０のシリアルの確認作業が不要となる。更に、前回データと今回データの差により、今月の計量データがある一定の値より逸脱した場合には、水道メータ４０の故障と判断する。そして、検針時に該水道メータ４０が故障していると判断して当該故障を認知することができる。更に、水道メータ４０の故障履歴を記憶させておくことで該水道メータ４０の交換の必要性等の判断材料ともなる。
【００３３】
尚、本発明は水道メータに限定するべきではなく、例えば、ガスメータや電力メータにも適応することができる。そして、本発明は、本発明の精神を逸脱しない限り種々の改変を為すことができ、そして、本発明が該改変されたものに及ぶことは当然である。
【図面の簡単な説明】
【００３４】
【図１】（ａ）本発明の実施例を示し、水道メータの解説図。          （ｂ）本発明の実施例を示し、ハンディターミナルの解説図。
【図２】請求項３記載の発明の水道メータの解説図。
【図３】請求項４記載の発明の水道メータの要部解説図。
【符号の説明】
【００３５】
１，２０，４０    水道メータ
３，２２          計量部
４，２３，４１    指示部
７，２６，４４    表示部
９，２８，４６    ＩＣタグ
１１                ハンディターミナル
４７                電池
４８                スイッチ
【図１】
2006118947.tif 000003
【図２】
2006118947.tif 000004
【図３】
2006118947.tif 000005